(57)【要約】【課題】チューナ付きのＳＴＢを外部接続したときのメニューの操作性を向上させるテレビジョン放送受信装置を提供する。【解決手段】このテレビジョン放送受信装置は、ＨＤＭＩ規格準拠のケーブルにより外部機器が接続され、ＣＥＣプロトコル通信が可能なテレビジョン放送受信装置であって、当該テレビジョン放送受信装置が特定の外部機器からの接続要求の受信に基づいて、当該テレビジョン放送受信装置に表示される操作機能を選択するメニューのうちの入力の切替を示す選択項目の表示順序を、前記特定の外部機器の選択項目が指定された順序になるように変更するようにしたものである。特に、前記特定の外部機器をチューナ付きのＳＴＢで用いて好適である。【選択図】図２
2009124535.tif 000002
【特許請求の範囲】
【請求項１】
ＨＤＭＩ（High-Definition Multimedia Interface）規格準拠のケーブルにより外部機器が接続され、ＣＥＣ（Consumer Electronics Control）プロトコル通信が可能なテレビジョン放送受信装置において、当該テレビジョン放送受信装置が特定の外部機器からの接続要求の受信に基づいて、当該テレビジョン放送受信装置に表示される操作機能を選択するメニューのうちの入力の切替を示す選択項目の表示順序を、前記特定の外部機器の選択項目が指定された順序になるように変更することを特徴とするテレビジョン放送受信装置。
【請求項２】
請求項１に記載のテレビジョン放送受信装置において、前記変更に加えて、前記操作機能を選択するメニューにおける前記特定の外部機器の選択項目以外の選択項目の表示順序を、前記特定の外部機器への入力切替の選択項目の表示順序より後の任意の順序に変更することを特徴とするテレビジョン放送受信装置。
【請求項３】
請求項１に記載のテレビジョン放送受信装置において、前記変更に加えて、前記操作機能を選択するメニューから前記特定の外部機器の選択項目以外の少なくとも１つの選択項目を削除することを特徴とするテレビジョン放送受信装置。
【請求項４】
請求項１に記載のテレビジョン放送受信装置において、前記変更に加えて、前記操作機能を選択するメニューに表示される前記特定の外部機器の選択項目以外の少なくとも１つの選択項目の選択を無効にすることを特徴とするテレビジョン放送受信装置。
【請求項５】
請求項１乃至４のいずれかに記載のテレビジョン放送受信装置において、前記特定の外部機器は、チューナ付きのＳＴＢ（Set Top Box）であることを特徴とするテレビジョン放送受信装置。
【発明の詳細な説明】
【技術分野】
【０００１】
本発明は、テレビジョン放送受信装置に関し、特に、チューナ付きの外部機器、例えばＳＴＢ（Set Top Box）を外部接続したテレビジョン放送受信装置に関する。
【背景技術】
【０００２】
近年、映像のデジタル化が進み、衛星、ＣＡＴＶ、地上波のそれぞれの放送メディアにおいてデジタル放送が各国で開始されるに伴って、デジタルチューナ内蔵のテレビジョン放送受信装置が普及してきている。
【０００３】
他方において、デジタルチューナを内蔵せず、将来の機能拡張のためのデジタルインタフェースを備えた「デジタル対応テレビ」と呼称されるようなテレビジョン放送受信装置も発売されている。このようなテレビジョン放送受信装置においてデジタル放送を視聴する場合に、デジタルチューナを内蔵した外部機器、例えばＳＴＢを接続してデジタル放送を視聴している人もいる。
【０００４】
また、さらにＣＡＴＶでは、放送事業者であるネットワークオペレータ毎に個別の伝送方式が採用されているため、各ネットワークオペレータの規格に基づいたＳＴＢを借用し、ＴＶの外部入力に接続してデジタル放送を視聴している人もいる。
【０００５】
このようなテレビジョン放送受信装置とＳＴＢのような外部機器を接続するデジタルインタフェース規格として、ＨＤＭＩ（High-Definition Multimedia Interface）規格が確立された（非特許文献１参照）。このＨＤＭＩは、ＤＶＩ（Digital Visual Interface）に音声伝送機能や著作権保護機能、色差伝送機能を加えるなどＡＶ機器向けにアレンジしたものである。従来、機器間を接続するときに映像・音声・制御の各信号用に複数のケーブルを用いていたが、ＨＤＭＩではＨＤＭＩ準拠のケーブル１本で済み、わずらわしかったＡＶ機器の配線を簡略化できるというメリットがある。
【０００６】
また、物理層にはＴＭＤＳ（Transition Minimized Differential Signaling）が、不正防止機能としてはＨＤＣＰ（High-bandwidth Digital Contents Protection）が、機器間認証にはＥＤＩＤ（Extended Display Identification Data）が、系全体の制御系接続にはＣＥＣ（Consumer Electronics Control）が採用されている。このＣＥＣによって、例えば、ＴＶからＨＤＭＩ準拠のケーブルで接続されたＳＴＢやＤＶＤプレーヤ等のＡＶ機器に制御信号を中継することができる。
【０００７】
このうちＣＥＣについては、ＨＤＭＩ規格書のＳｕｐｐｌｅｍｅｎｔ１に説明されており、ＣＥＣに使用できる推奨された機能と、電気特性、信号とビットタイミング、ヘッダ／データブロックなどの定義と、デバイス間の通信に対する規約等の説明がされている。
【０００８】
ところで、テレビジョン放送受信装置では、視聴者がテレビジョン放送受信装置を充分かつ簡単に利用できるように、各種機能に対する操作内容、操作手順、受信状態等をメニューとして必要に応じて画面に表示し、操作性の向上が図られている。
【０００９】
上記の機能の１つとして、テレビジョン放送信号の供給源を切り替える項目も含まれているが、従来技術では、視聴者が供給源を他のものに替えたとしても、上記のメニューは視聴者が替えたものが優先されるわけではなく、同じものが表示されるだけである。
【００１０】
例えば、特許文献１では、種々の機能が追加されて高機能化し、複数の動作モードで動作する映像表示装置において、動作モードの変更に従って、変更後の動作モードで設定が禁止されている機能に対しては視聴者に禁止されていることを通知し、操作性の向上を図るようにしている。
【００１１】
しかし、特許文献１では、利用できないメニュー上の機能に対して、グレーダウン等により利用できないことが識別できるようにはできるが、テレビジョン放送信受信機の内蔵チューナを停止し、外部接続されるＳＴＢに内蔵したチューナでの常時視聴を想定していないため、視聴者がＳＴＢを外部接続して、常時このＳＴＢで視聴するようにしたとしても、メニューにはこの変更が反映されるものではなく、メニューを利用した入力切り換えの操作性も悪い。
【特許文献１】特許３３４１２９０号公報
【非特許文献１】HDMI Licensing LLC, High-Definition Multimedia Interface Specification Version 1.3a
【発明の開示】
【発明が解決しようとする課題】
【００１２】
テレビジョン放送受信装置のメニューには、テレビジョン放送信号の供給源の切り替えを示す選択項目もあるが、従来、テレビジョン放送受信装置本体に内蔵したチューナを優先して選択するために「ＴＶ本体への入力切替」の選択項目が先頭にあり、外部接続されたＳＴＢのチューナを選択するための「ＳＴＢへの入力切替」の選択項目はメニューの後の方に設定されている。
【００１３】
したがって、現在のように多数の機能を備えたテレビジョン放送受信装置のメニューでは、「ＳＴＢへの入力切替」の選択項目を選択するまでに行うカーソルのスクロール時間がかかり、すぐにＳＴＢのチューナに切り替えることができない。
【００１４】
しかし、チューナ付きのＳＴＢをテレビジョン放送受信装置本体に外部接続してデジタル放送を視聴するような視聴者にとっては、テレビジョン放送受信装置本体に内蔵したチューナを選択することは少ないので、「ＴＶ本体への入力切替」の選択項目よりも、「ＳＴＢへの入力切替」の選択項目を優先して表示することが望まれている。
さらに、「ＴＶ本体への入力切替」の表示を削除（消去）することや「ＴＶ本体への入力切替」の選択を無効とすることも望まれている。
【００１５】
本発明は、上述したような実情を考慮してなされたものであり、ＨＤＭＩ準拠のケーブルにより外部機器を接続したときのメニューの操作性を向上させるテレビジョン放送受信装置を提供することを目的とする。
【課題を解決するための手段】
【００１６】
上記の課題を解決するために、本発明のテレビジョン放送受信装置は、ＨＤＭＩ規格準拠のケーブルにより外部機器が接続され、ＣＥＣプロトコル通信が可能なテレビジョン放送受信装置であって、当該テレビジョン放送受信装置が特定の外部機器からの接続要求の受信に基づいて、当該テレビジョン放送受信装置に表示される操作機能を選択するメニューのうちの入力の切替を示す選択項目の表示順序を、前記特定の外部機器の選択項目が指定された順序になるように変更するものである。
【００１７】
さらに、前記変更に加えて、当該テレビジョン放送受信装置への入力切替の選択項目を次のいずれかによって変更することができる。
（１）前記操作機能を選択するメニューにおける前記特定の外部機器の選択項目以外の選択項目の表示順序を、前記特定の外部機器への入力切替の選択項目の表示順序より後の任意の順序に変更する。
（２）前記操作機能を選択するメニューから前記特定の外部機器の選択項目以外の少なくとも１つの選択項目を削除する。
（３）前記操作機能を選択するメニューに表示される前記特定の外部機器の選択項目以外の少なくとも１つの選択項目の選択を無効にする。
【００１８】
本発明を適用するためには、前記特定の外部機器として、チューナ付きのＳＴＢを用いるのが好ましい。
【発明の効果】
【００１９】
本発明によると、テレビジョン放送受信装置にＨＤＭＩ規格に準拠のケーブルで、外部機器を外部接続したときのメニューの操作性が向上する。
【発明を実施するための最良の形態】
【００２０】
以下、図面を参照して本発明のテレビジョン放送受信装置に係る好適な実施形態について説明する。
【００２１】
図１は、本実施形態のテレビジョン放送受信装置（以下、ＴＶと称する）の利用形態を示す図である。同図において、ＴＶ１１とチューナ付きのＳＴＢ（以下、単にＳＴＢと称する）１３とは、ともにＨＤＭＩ規格に準拠したＨＤＭＩ端子を有しており、ＨＤＭＩ規格に準拠したケーブル１０で接続されている。
【００２２】
このケーブル１０は、デジタル映像信号およびデジタル音声信号の送受信だけではなく、ＣＥＣプロトコルによる制御信号も送受信されるので、ＳＴＢ１３で受信したテレビジョン放送信号を、ケーブル１０を介してＴＶ１１へ送って視聴できる状態とすることができる。
【００２３】
この通常のＴＶ１１操作には、リモコン１４が使われるが、テレビジョン放送信号の入力をＳＴＢ１３に切り替えた後には、リモコン１４によって指定した操作情報は、ＴＶ１１で受信され、ケーブル１０を介してＳＴＢ１３に送られて、リモコン１４からＳＴＢ１３を操作できるようになる。
【００２４】
ここで、ＳＴＢは、現在のＨＤＭＩ規格では３台まで接続可能となっているが、以下では、ＴＶ１１に１台のＳＴＢが接続されるものとして説明する。
また、本発明は、ＨＤＭＩ規格に準拠したケーブルにより、ＴＶに外部接続する外部機器としてＳＴＢを用いて説明するが、ＨＤＭＩ規格に準拠して入力信号や出力信号を取り扱い可能なＡＶ機器であれば同様に適用することができる。
【００２５】
まず、ＴＶ１１の概略構成について説明する。
図２は、本発明が適用されるＴＶ１１の概略構成を示すブロック図である。図２において、ＴＶ１１は、放送信号処理部１５（チューナ部１５ａと信号処理部１５ｂからなる）、入力切替部１６、音声処理部１７、音声出力部１８、映像処理部１９、ＯＳＤ生成部２０、合成部２１、表示部２２、ＨＤＭＩ信号処理部２３、主制御部２４、メニュー変更部２５、記憶部２６、受信部２７、アンテナ接続端子２８、ＨＤＭＩ端子２９から構成される。
【００２６】
主制御部２４は、当該ＴＶ１１における全体制御を行う。この主制御部２４は、ＣＰＵ（Central Processing Unit）等を内蔵したマイクロプロセッサでなり、記憶部２６に記憶された制御プログラムや各種アプリケーションプログラムを実行する。
その制御プログラムは、リモコン１４から送出された操作情報を、受信部２７を介して受信し、その操作内容が反映されるように各部をそれぞれ制御する。
【００２７】
記憶部２６は、主制御部２４で実行される制御プログラム、各種アプリケーションプログラムやデータを格納したり、制御プログラムや各種アプリケーションプログラムが実行時に一時的にデータ等を格納するために使われ、電源を切られたときにも維持する情報には不揮発性メモリ（例えば、ＲＯＭ（Read Only Memory）、ＥＥＰＲＯＭ（Electrically Erasable and Programming ROM）、フラッシュメモリやハードディスクなど）を用い、一時的格納される情報には揮発性メモリ（例えば、ＲＡＭ（Random Access Memory））を用いる。
【００２８】
メニュー変更部２５は、詳細は後述するが、外部接続されたＳＴＢからＣＥＣプロトコルで受信した接続要求に基づいて、ＴＶ１１の持っている操作機能を選択するためのメニューを変更する。
【００２９】
受信部２７は、視聴者からの指示を入力するためのリモコン１４とのインタフェース部であり、リモコン１４から光信号を受信し、受信した光信号を復調して通信データを取得して主制御部２４に送る。
リモコン１４には、主として、電源キー、放送チャンネルのダイレクト選局キー、チャンネルアップダウンキー、選択キー、終了キー、戻るキー、メニューキー等が設けられており、各キーが押されると、押されたキーに関するキー情報を操作情報として受信部２７に送出する。
【００３０】
チューナ部１５ａは、アンテナ１２などから取り込まれ、アンテナ接続端子２８を介して送られてくるデジタルテレビジョン放送の放送波から所定のチャンネルの放送信号を取り出し、このチャンネルの放送信号を復調して信号処理部１５ｂへ出力する。
【００３１】
信号処理部１５ｂは、チューナ部１５ａによって選局されたチャンネルの放送信号に多重化された音声信号および映像信号をそれぞれ分離する。次に、音声信号は復号してデジタル音声信号を生成し、映像信号は復号して量子化係数や動きベクトルを求め、逆離散コサイン変換や動きベクトルに基づく動き補償制御などを行って、デジタル映像信号を生成する。そして、復号されたデジタル音声信号とデジタル映像信号を入力切替部１６に出力する。
【００３２】
入力切替部１６は、信号処理部１５ｂからの出力またはＨＤＭＩ信号処理部２３からの出力を、主制御部２４からの制御に応じて選択的に切り換えて、デジタル映像信号およびデジタル音声信号をそれぞれ映像処理部１９および音声処理部１７に供給する。
【００３３】
この主制御部２４による切替制御は、テレビジョン放送信号が受信されているときには、チューナ部１５ａ、信号処理部１５ｂを制御するとともに、信号処理部１５ｂから出力される映像信号および音声信号を選択するように入力切替部１６を制御する。
また、主制御部２４による切替制御は、ＨＤＭＩ規格に準拠したデジタル信号の受信が選択されているときには、ＨＤＭＩ信号処理部２３の動作設定を行うとともに、このＨＤＭＩ信号処理部２３から出力される映像信号および音声信号を選択するように入力切替部１６を制御する。
【００３４】
音声処理部１７は、入力切替部１６からのデジタル音声信号を音声出力部１８に適した信号に変換して出力し、音声出力部１８で音になって出力される。この音声出力部１８はスピーカ等で構成される。
映像処理部１９は、入力切替部１６からのデジタル映像信号を表示部２２に適した信号に変換し合成部２１に出力する。この表示部２２は、液晶表示装置等で構成される。
【００３５】
ＯＳＤ（On Screen Display）生成部２０は、当該ＴＶ１１やＳＴＢ１３を操作するためのメニューや操作状況等を主制御部２４から受信し、表示部２２に表示可能な形態として合成部２１へ出力する。
そして、合成部２１は、映像処理部１９から出力された映像信号とＯＳＤ生成部２０から出力された映像信号を重畳し、表示部２２で映像として映し出される。
【００３６】
ＳＴＢ１３からＨＤＭＩ準拠のケーブルを介して供給されるＴＶ１１宛のデジタル信号は、ＨＤＭＩ端子２９で受信され、ＨＤＭＩ信号処理部２３に供給される。
このＨＤＭＩ信号処理部２３は、ＨＤＭＩ規約に基づいて、入力されたデジタル信号から、映像信号と音声信号とを分離してそれぞれ入力切替部１６に出力する。
また、ＨＤＭＩ信号処理部２３は、ＳＴＢ１３からＨＤＭＩ準拠のケーブルを介して供給されるＣＥＣプロトコルに準拠した制御信号をＨＤＭＩ規約に基づいて解析し、解析結果を主制御部２４に出力する。
【００３７】
また、主制御部２４からＳＴＢ１３へ出力される制御信号は、ＨＤＭＩ信号処理部２３に供給される。このＨＤＭＩ信号処理部２３は、供給された制御信号をＣＥＣプロトコルに準拠した制御信号へ変換して、ＨＤＭＩ端子２９およびＨＤＭＩ準拠のケーブルを介してＳＴＢ１３宛に出力する。
【００３８】
次に、チューナ付きのＳＴＢの概略構成について説明する。
図３は、本発明が適用されるＳＴＢ１３の概略構成を示すブロック図である。図３において、ＳＴＢ１３は、チューナ部３１、信号処理部３２、ＨＤＭＩ信号処理部３４、主制御部３３、記憶部３５、アンテナ接続端子３６、ＨＤＭＩ端子３７から構成される。
【００３９】
主制御部３３は、当該ＳＴＢ１３における全体制御を行う。この主制御部３３は、ＣＰＵ（Central Processing Unit）等を内蔵したマイクロプロセッサでなり、記憶部３５に記憶された制御プログラムや各種アプリケーションプログラムを実行する。
その制御プログラムは、ＴＶ１１から受信した各種の指示が反映されるように各部をそれぞれ制御する。
【００４０】
記憶部３５は、主制御部３３で実行される制御プログラム、各種アプリケーションプログラムやデータを格納したり、制御プログラムや各種アプリケーションプログラムが実行時に一時的にデータ等を格納するために使われ、電源を切られたときにも維持する情報には不揮発性メモリを用い、一時的格納される情報には揮発性メモリを用いる。
【００４１】
チューナ部３１は、アンテナ３８から取り込まれ、アンテナ接続端子３６を介して送られてくるデジタルテレビジョン放送の放送波から所定のチャンネルの放送信号を取り出し、このチャンネルの放送信号を復調して信号処理部３２へ出力する。
【００４２】
信号処理部３２は、チューナ部３１によって選局されたチャンネルの放送信号に多重化された音声信号および映像信号をそれぞれ分離する。次に、音声信号は復号してデジタル音声信号を生成し、映像信号は復号して量子化係数や動きベクトルを求め、逆離散コサイン変換や動きベクトルに基づく動き補償制御などを行って、デジタル映像信号を生成する。そして、復号されたデジタル音声信号とデジタル映像信号をＨＤＭＩ信号処理部３４に出力する。
【００４３】
ＨＤＭＩ信号処理部３４は、信号処理部３２から出力されたデジタル音声信号とデジタル映像信号をＨＤＭＩ準拠した信号に変換して、ＨＤＭＩ端子３７を介してＴＶ１１宛に出力する。
また、主制御部３３からＴＶ１１宛に出力される制御信号は、ＨＤＭＩ信号処理部３４に供給される。このＨＤＭＩ信号処理部３４は、供給された制御信号をＣＥＣプロトコルに準拠した制御信号へ変換して、ＨＤＭＩ端子３７およびＨＤＭＩ準拠のケーブルを介してＴＶ１１宛に出力する。
【００４４】
また、ＴＶ１１からＨＤＭＩ準拠のケーブルを介して供給されたＳＴＢ１３宛の制御信号は、ＨＤＭＩ端子３７で受信され、ＨＤＭＩ信号処理部３４に供給される。
このＨＤＭＩ信号処理部３４は、供給された制御信号をＨＤＭＩ規約に基づいて解析し、その解析結果を主制御部３３にする。
【００４５】
次に、メニュー変更部２５について詳述する。
まず、従来のＴＶの操作機能を選択するためのメニューとしては、ＴＶ本体内蔵のチューナを優先して選択するために「ＴＶ本体への入力切替」の選択項目が先頭にあり、その後に、ＴＶ本体に外部接続したＳＴＢ等のＡＶ機器からの入出力を選択するための選択項目がならんでいる。
【００４６】
例えば、ＨＤＭＩ規格では、図４に示すように、ＳＴＢが３台、ＤＶＤが２台、レコーダが３台、オーディオが１台接続可能とされているので、画面表示されたメニューは、例えば、図５のような形態で表示される。
【００４７】
このメニューの１つの選択項目のフォーマットは、メニューの項目名（操作機能名）、この選択項目が使用可能か否かを示す情報、この選択項目の機能に対応する識別番号と、からなるデータ形式を有している。このフォーマットで表される各選択項目のデータを、画面へ表示する順に並べたものがメニュー記憶部（記憶部２６内に構成される）に記憶されている。
【００４８】
ここで、メニューの項目名は、例えば、画面の設定、外部機器への入力切替等、
メニューを画面に表示され、選択されるときの機能を表す名前である。
選択項目が使用可能か否かを示す情報は、フラグとして表されるものであり、ＯＮであれば、この操作機能が選択できない項目であり、グレーダウンして画面に表示される。また、フラグがＯＦＦであれば、この操作機能は選択できる項目であることを示す。
機能の識別番号は、操作機能ごとに割り当てられた唯一の番号であり、どの操作機能が選択したかをメニューハンドラが識別するのに使われる。
本実施形態では、ＨＤＭＩ規格によって接続される外部機器に対する入力切替の機能を表す識別番号に、接続する外部機器の論理アドレス（図４）を追加して使用する。これにより、選択された選択項目がどの外部機器への入力切替であるかを特定することができる。
【００４９】
次に、ＴＶ１１と、メニューの選択項目の順番をこのＴＶ本体より優先した順番で表示するＳＴＢ１３の接続について説明する。
視聴者が、ＨＤＭＩ準拠のケーブルでＳＴＢ１３をＴＶ１１に接続して電源を入れると、ＳＴＢ１３の主制御部３３は、電源が入れられたことを検知して、ＨＤＭＩ信号処理部３４によって、ＣＥＣプロトコルを用いて、接続要求をブロードキャストする。
【００５０】
ＴＶ１１の主制御部２４は、ＳＴＢ１３からブロードキャストされた接続要求を受け取ると次のような処理を行う。
【００５１】
主制御部２４は、接続されていないＳＴＢの論理アドレスを探し、ブロードキャストされた接続要求に対して、探した論理アドレスと物理アドレス要求とをパラメータとしてＣＥＣプロトコルによって返信する。
主制御部２４は、この物理アドレス要求に対する、ＳＴＢ１３が作成した物理アドレスを受信すると、さらに、ＣＥＣプロトコルによってＳＴＢ１３の機器名や状態等を問い合わせる。
【００５２】
主制御部２４は、ＳＴＢ１３の状態等の問い合せが完了すると、論理アドレス、物理アドレス、機器名や状態等とを関連付けて記憶部２６に記憶する。
これにより、ＴＶ１１とＳＴＢ１３とが接続されたことになり、ＴＶ１１からＳＴＢ１３への制御ができるようになる。
主制御部２４は、このＳＴＢ１３との接続が完了すると、メニュー変更部２５を起動して、接続が完了したＳＴＢ１３の論理アドレスを送信する。
【００５３】
メニュー変更部２５は、次のような処理を行って、主制御部２４から受信した論理アドレスを用いてメニューを変更して、メニュー記憶部を更新する。
【００５４】
まず、「ＳＴＢへの入力切替」の機能を表す識別番号に主制御部２４から渡された当該ＳＴＢの論理アドレスを付け加えた検索情報を作成する。
次に、メニュー記憶部を参照して、上記の検索情報に合致する識別番号をもつ「ＳＴＢへの入力切替」の選択項目を探す。
そして、上記の検索情報と合致した「ＳＴＢへの入力切替」の選択項目を予め設定しておいた位置に移動させる。
この予め設定しておいた位置とは、メニューの先頭であってもよいし、「ＴＶへの入力切替」の選択項目よりも前の位置であってもよいし、また、視聴者の希望する任意の位置であっても構わない。
【００５５】
さらに、メニュー変更部２５では、この移動と連動して、「ＴＶ本体への入力切替」の選択項目を予め設定しておいた位置へ移動してもよい。
この予め設定しておいた位置とは、変更された「ＳＴＢへの入力切替」の選択項目の位置より後であってもよいし、また、視聴者の希望する任意の位置であっても構わない。
【００５６】
さらに、また、メニュー変更部２５では、「ＴＶ本体への入力切替」の選択項目をメニューから削除するようにしてもよい。
【００５７】
このようにして変更されたメニューが画面に表示され、そのメニュー上の所望の選択項目が視聴者によって選択されると、選択された選択項目の識別番号がメニューハンドラへ渡されて、選択された機能に対する処理が実行される。
例えば、「ＳＴＢ１への入力切替」の選択項目が選択されると、ＴＶはテレビジョン信号の供給源をＳＴＢ１へ切り替えて、ＳＴＢ１に備えたチューナで選局されたテレビジョン放送信号を受け取るようになる。
【００５８】
上記の説明では、ＳＴＢがＴＶに接続されたときに、自動的に「ＴＶ本体への入力切替」の選択項目を移動したり、削除するようにしていたが、「ＴＶ本体への入力切替」の選択項目をいずれの方法で処理するのかを、予めあるいはメニューを変更するときに設定するとしてもよい。
【００５９】
例えば、視聴者の要求によって、予め、図６に例示するようなＯＳＤダイアログを画面に表示させて、その選択結果を記憶部２６に記憶させておく。そして、メニュー変更部２５が実行する際に、記憶部２６に記憶させておいた選択結果を参照して「ＴＶ本体への入力切替」の選択項目の移動、削除あるいはいずれの処理も行わないようにする。
【００６０】
図６では、表示項目のうち「メニューから外す」を選択すると、「ＴＶへの入力切替」の選択項目をメニューから削除する。
また、「順序を変更する」を選択すると、「ＴＶ本体への入力切替」の選択項目を「ＳＴＢへの入力切替」の選択項目より後になるように変更する。
また、「キャンセル」を選択すると、「ＴＶ本体への入力切替」の選択項目の位置は変更されず、現在あるままの位置である。
【００６１】
あるいは、メニュー変更部２５で「ＳＴＢへの入力切替」の選択項目を移動した後に、上記のダイアログ（図６）を画面に表示させて、「ＴＶ本体への入力切替」の選択項目の処理方法を問い合わせするようにしてもよい。
【００６２】
上記のメニュー変更では、ＳＴＢが複数あるときには視聴者が区別できないので、「ＳＴＢの入力切替」の選択項目の代わりに、ＳＴＢの機器名を用いて「機器名への入力切替」のように変更しても構わない。
また、「ＴＶ本体への入力切替」の選択項目を削除するのではなく、選択できないような状態にこの項目のフラグをＯＮとするようにしてもよい。
【００６３】
これにより、リモコン１４で操作されるメニューには、「ＳＴＢへの入力切替」の選択項目が視聴者の望んだ位置に表示されるので、メニューの操作性が向上する。
【００６４】
しかしながら、視聴者としては、メニューの変更後に再度変更したい要望が出てくることもあるので、既に設定されているメニューを編集する機能を設けるようにしてもよい。
【００６５】
次に、ＴＶとＳＴＢのリモコンの統一について説明する。
視聴者としては、ＴＶとＳＴＢを操作するときにそれぞれに対応したリモコンを使うのでは煩わしく、操作が煩雑になってしまう。そこで、上記のようにＳＴＢへ入力が切り換わった後、ＴＶ用のリモコンに統一して使用できるほうがよい。即ち、ＴＶもＳＴＢもＴＶ用のリモコンのテンキー、選局ｕｐ／ｄｏｗｎキーによって選局や種々の設定動作が行えることが望ましい。
【００６６】
このような場合、ＴＶ１１の主制御部２４は、メニューから「ＳＴＢへの入力切替」が選択されたときに、ＳＴＢ１３に対して「操作情報をＴＶのリモコンへ切り替える」旨のメッセージをＣＥＣプロトコルによってＳＴＢ１３へ送信する。
この送信以後、ＳＴＢ１３の所有している機能の操作情報は、ＣＥＣプロトコルによってＳＴＢ１３へ送られる。
【００６７】
ＳＴＢ１３では、このメッセージを受信すると、ＳＴＢ１３用のリモコンからの操作信号を無視するように設定し、ＴＶ１１からＣＥＣプロトコルによって送られてくる操作情報を受信すると、その操作情報に対応する動作を行わせるようにする。
【００６８】
上記の操作情報のうちチューナによる選局に関しては、ＣＥＣプロトコルの共通コマンドであるＴｕｎｅｒ Ｃｏｎｔｒｏｌコマンドを用いて送信する。
また、その他のリモコンに定義されている６７個のキー（メニューキー、選局ｕｐ／ｄｏｗｎキーなど）が押されたときには、ＣＥＣプロトコルの共通コマンドであるＲｅｍｏｔｅ  Ｃｏｎｔｒｏｌ Ｐａｓｓ Ｔｈｒｏｕｇｈコマンドを使って、押されたキー情報（キーの種類）をＳＴＢに送信する。
【００６９】
さらに、メニューの「ＳＴＢへの入力切替」の項目を選択したときに、「ＴＶ用のリモコンで統一して操作するか否か」を問い合わせるようにしてもよい。
あるいは、「ＳＴＢへの入力切替」の選択以前に、予め「ＴＶ用のリモコンで統一して操作するか否か」を問い合わせるようにしてもよい。
このように、「ＴＶ用のリモコンで統一して操作する」が選択されたときには、「ＳＴＢへの入力切替」が選択されたあとは、ＴＶ用のリモコンによってＳＴＢの操作が行われる。また、「ＴＶ用のリモコンで統一して操作しない」が選択されたあとには、ＴＶおよびＳＴＢはそれぞれのリモコンを使って操作がされる。
【００７０】
以上の構成により、テレビジョン放送受信装置にＨＤＭＩ準拠のケーブルで、チューナ付きのＳＴＢを外部接続したときのメニューの操作性が向上する。
【００７１】
尚、本発明は上述した実施形態に限定されず、本発明の要旨を逸脱しない範囲内で各種の変形、修正が可能であるのは勿論である。
【図面の簡単な説明】
【００７２】
【図１】実施形態のテレビジョン放送受信装置の利用形態を示す図である。
【図２】本発明が適用されるＴＶの概略構成を示すブロック図である。
【図３】本発明が適用されるＳＴＢの概略構成を示すブロック図である。
【図４】論理アドレスに割り当てられた機器の種類を示すテーブルである。
【図５】実施形態で想定しているメニューの表示例である。
【図６】「ＴＶ本体への入力切替」の選択項目の表示順を変更するか否かを問い合わせるダイアログの例である。
【符号の説明】
【００７３】
１０…ケーブル、１１…ＴＶ、１２…アンテナ、１３…ＳＴＢ、１４…リモコン、１５…放送信号処理部、１５ａ…チューナ部、１５ｂ…信号処理部、１６…入力切替部、１７…音声処理部、１８…音声出力部、１９…映像処理部、２０…ＯＳＤ生成部、２１…合成部、２２…表示部、２３…ＨＤＭＩ信号処理部、２４…主制御部、２５…メニュー変更部、２６…記憶部、２７…受信部、２８…アンテナ接続端子、２９…ＨＤＭＩ端子、３１…チューナ部、３２…信号処理部、３３…主制御部、３４…ＨＤＭＩ信号処理部、３５…記憶部、３６…アンテナ接続端子、３７…ＨＤＭＩ端子、３８…アンテナ。
【図１】
2009124535.tif 000003
【図２】
2009124535.tif 000004
【図３】
2009124535.tif 000005
【図４】
2009124535.tif 000006
【図５】
2009124535.tif 000007
【図６】
2009124535.tif 000008